(57)【要約】      （修正有）【課題】筋肉を引張っているときの強度及び角度を調整できる足踏み式筋肉引張機を提供する。【解決手段】主体枠と、弾性ロープ固定ロッドと、二つの支持固定ロッドと、を含む。主体枠は、その両側から複数のラグが上方に延び、ラグの自由端は、第１ペダルの末端と、第２ペダルの末端とに、それぞれ枢着される。弾性ロープ固定ロッドは、主体枠の中央に枢着され、その上端にある二つの弾性ロープ固定ピンが二つの弾性ロープの一端を固定し、角度調整具を介して主体枠に固定され、角度調整具により二つの弾性ロープの抵抗強度を調整できる。二つの支持固定ロッドは、主体枠から二つのサイドロッドが前方に延び、二つのサイドロッドの対向側に脚台がそれぞれ設けられ、二つの脚台に二つの支持固定ロッドが枢着され、第１ペダルと第２ペダルとの底面には、支持固定ロッドに向いている定位穴が複数設けられる。【選択図】図１
0003169692.tif 000002
【実用新案登録請求の範囲】
【請求項１】
主体枠と、弾性ロープ固定ロッドと、二つの支持固定ロッドと、を含み、
前記主体枠は、その両側から複数のラグが上方に延び、前記ラグの自由端は、第１ペダルの末端と、第２ペダルの末端とに、それぞれ枢着され、
前記弾性ロープ固定ロッドは、前記主体枠の中央に枢着され、その上端にある二つの弾
性ロープ固定ピンが二つの弾性ロープの一端を固定し、角度調整具を介して前記主体枠に
固定され、前記角度調整具により前記二つの弾性ロープの抵抗強度を調整でき、前記第１
ペダルと前記第２ペダルとの前記弾性ロープ固定ロッドに向いている側面に弾性ロープ固
定ピンがそれぞれ設けられ、前記弾性ロープ固定ピンにより前記二つの弾性ロープの他端
が固定され、
前記二つの支持固定ロッドは、前記主体枠から二つのサイドロッドが前方に延び、前記
二つのサイドロッドの対向側に脚台がそれぞれ設けられ、前記二つの脚台に前記二つの支
持固定ロッドが枢着され、前記第１ペダルと前記第２ペダルとの底面には、前記支持固定
ロッドに向いている定位穴が複数設けられ、前記定位穴により筋肉を引張っているときの
角度を調整できることを特徴とする足踏み式筋肉引張機。
【請求項２】
前記角度調整具は、前記弾性ロープ固定ロッドに設けられる挿入穴と、挿入ピンと、を
含み、二つの扇形片は、それぞれ前記弾性ロープ固定ロッドにある前記挿入穴の両側に位
置し、前記弾性ロープ固定ロッドにある前記挿入穴の旋回角度に応じて円弧状溝が複数設
けられ、前記挿入ピンは、前記弾性ロープ固定ロッドの角度が調整されて、前記円弧状溝
が前記挿入穴に合せられたときに、前記円弧状溝と前記挿入穴とに挿入されて両者を固定
することを特徴とする、請求項１に記載の足踏み式筋肉引張機。
【考案の詳細な説明】
【技術分野】
【０００１】
本考案は、足踏み式筋肉引張機に関し、特に、筋肉を引張っているときの強度及び角度を調整できる足踏み式筋肉引張機に関するものである。
【背景技術】
【０００２】
従来の健康器は色々あり、例えばジョギング機、上体起し機や重量挙げ機などがあるが
、足の筋肉を引張る機械は極めて少ない。足の筋肉を引張る機械は少数あるが、その動作が極めて単調であり、足の筋肉を引張っているときの強度及び角度を調整することができない。
【考案の概要】
【考案が解決しようとする課題】
【０００３】
本考案の主な目的は、筋肉を引張っているときの強度及び角度を調整できる足踏み式筋肉引張機を提供することにある。
【課題を解決するための手段】
【０００４】
本考案の足踏み式筋肉引張機によると、主体枠と、弾性ロープ固定ロッドと、二つの支持固定ロッドと、を含み、
前記主体枠は、その両側から複数のラグが上方に延び、前記ラグの自由端は、第１ペダル
の末端と、第２ペダルの末端とに、それぞれ枢着され、
前記弾性ロープ固定ロッドは、前記主体枠の中央に枢着され、その上端にある二つの弾性
ロープ固定ピンが二つの弾性ロープの一端を固定し、角度調整具を介して前記主体枠に固
定され、前記角度調整具により前記二つの弾性ロープの抵抗強度を調整でき、前記第１ペ
ダルと前記第２ペダルとの前記弾性ロープ固定ロッドに向いている側面に弾性ロープ固定
ピンがそれぞれ設けられ、前記弾性ロープ固定ピンにより前記二つの弾性ロープの他端が
固定され、
前記二つの支持固定ロッドは、前記主体枠から二つのサイドロッドが前方に延び、前記二
つのサイドロッドの対向側に脚台がそれぞれ設けられ、前記二つの脚台に前記二つの支持
固定ロッドが枢着され、前記第１ペダルと前記第２ペダルとの底面には、前記支持固定ロ
ッドに向いている定位穴が複数設けられ、前記定位穴により筋肉を引張っているときの角
度を調整できることを特徴とする。
【０００５】
本考案の足踏み式筋肉引張機によると、前記角度調整具は、前記弾性ロープ固定ロッドに設けられる挿入穴と、挿入ピンと、を含み、二つの扇形片は、それぞれ前記弾性ロープ固定ロッドにある前記挿入穴の両側に位置し、前記弾性ロープ固定ロッドにある前記挿入穴の旋回角度に応じて円弧状溝が複数設けられ、前記挿入ピンは、前記弾性ロープ固定ロッドの角度が調整されて、前記円弧状溝が前記挿入穴に合せられたときに、前記円弧状溝と前記挿入穴とに挿入されて両者を固定することを特徴とする。
【考案の効果】
【０００６】
本考案の足踏み式筋肉引張機によれば、筋肉を引張っているときの強度及び角度を調整できるという効果を有する。
【図面の簡単な説明】
【０００７】
【図１】本考案の一実施例の分解斜視図である。
【図２】本考案の一実施例の組合済み状態を示す斜視図である。
【図３】本考案の一実施例の足踏み強度を調整する動作を示す模式図である。
【図４】本考案の一実施例の筋肉引張角度を調整する動作を示す模式図である。
【図５】本考案の一実施例により足踏み動作をする状態を示す模式図である。
【図６】本考案の一実施例により筋肉引張動作をする状態を示す模式図である。
【考案を実施するための形態】
【０００８】
以下、本考案の実施の形態を図面に基づいて説明する。
まず、図１乃至図６を参照する。本考案の一実施例の足踏み式筋肉引張機は、主体枠１０と、弾性ロープ固定ロッド４０と、支持固定ロッド７３、７４と、を含む。
【０００９】
主体枠１０は、その両側から複数のラグ１１が上方に延び、ラグ１１の自由端は、第１
ペダル２０の末端と、第２ペダル３０の末端とに、それぞれ枢着される。
【００１０】
弾性ロープ固定ロッド４０は、主体枠１０の中央に枢着され、その上端にある弾性ロー
プ固定ピン４１、４２が弾性ロープ５０、５１の一端を固定する。弾性ロープ固定ロッド
４０は角度調整具６０を介して主体枠１０に固定される。角度調整具６０により弾性ロー
プ５０、５１の抵抗強度を調整できる。第１ペダル２０と第２ペダル３０との弾性ロープ
固定ロッド４０に向いている側面に弾性ロープ固定ピン２１、３１がそれぞれ設けられる
。弾性ロープ固定ピン２１、３１により弾性ロープ５０、５１の他端が固定される。
【００１１】
支持固定ロッド７３、７４は、主体枠１０からサイドロッド１２、１３が前方に延び、
サイドロッド１２、１３の対向側に脚台７１、７２がそれぞれ設けられる。脚台７１、７
２に支持固定ロッド７３、７４が枢着される。第１ペダル２０と第２ペダル３０との底面
には、支持固定ロッド７３、７４に向いている定位穴２２、３２が設けられる。定位穴２
２、３２により筋肉を引張っているときの角度を調整できる。
【００１２】
角度調整具６０は、弾性ロープ固定ロッド４０に設けられる挿入穴６１と、挿入ピン６
５と、を含む。扇形片６２、６３は、それぞれ弾性ロープ固定ロッド４０にある挿入穴６
１の両側に位置し、弾性ロープ固定ロッド４０にある挿入穴６１の旋回角度に応じて円弧
状溝６４が複数設けられる。挿入ピン６５は、弾性ロープ固定ロッド４０の角度が調整さ
れて、円弧状溝６４が挿入穴６１に合せられたときに、円弧状溝６４と挿入穴６１とに挿
入されて両者を固定する。
【００１３】
図３及び図５を参照する。角度調整具６０により、弾性ロープ固定ロッド４０は弾性ロ
ープ５０、５１の引張力を調整でき、ひいては足踏みの抵抗を調整できる。図４及び図６
を参照する。第１ペダル２０と第２ペダル３０との底面に設けられる定位穴２２、３２に
支持固定ロッド７３、７４を合せることにより、筋肉を引張っているときの角度を調整で
きる。
【００１４】
このように、本考案が、特定の例を参照して説明したが、それらの例は、説明のためだけのものであり、本考案を限定するものではなく、この分野に通常の知識を有する者には
、本考案の要旨および実用新案登録請求の範囲を逸脱することなく、ここで開示された実施例に変更、追加、または、削除を施してもよいことがわかる。
【産業上の利用可能性】
【００１５】
本考案は、筋肉引張機に適用することができる。
【符号の説明】
【００１６】
１０：主体枠
１１：ラグ
１２：サイドロッド
１３：サイドロッド
２０：第１ペダル
２１：弾性ロープ固定ピン
２２：定位穴
３０：第２ペダル
３１：弾性ロープ固定ピン
３２：定位穴
４０：弾性ロープ固定ロッド
４１：弾性ロープ固定ピン
４２：弾性ロープ固定ピン
５０：弾性ロープ
５１：弾性ロープ
６０：角度調整具
６１：挿入穴
６２：扇形片
６３：扇形片
６４：円弧形溝
６５：挿入ピン
７１：脚台
７２：脚台
７３：支持固定ロッド
７４：支持固定ロッド
【図１】
0003169692.tif 000003
【図２】
0003169692.tif 000004
【図３】
0003169692.tif 000005
【図４】
0003169692.tif 000006
【図５】
0003169692.tif 000007
【図６】
0003169692.tif 000008